(57)【要約】  【課題】  人体通信を利用した電子決済を効率よく行うことが可能となるとともに、誤決済が生じる可能性を低減した決済システム、自動販売機、決済装置を提供することを目的とする。  【解決手段】  人体通信用の送受信アンテナ３２（３２−１〜３２−ｎ）を有する商品選択ボタン３１（３１−１〜３１−ｎ）に対する操作である押込み量を押込み量検知部３３（３３−１〜３３−ｎ）で検知し、購入者により第１の押込み量まで商品選択ボタン３１が押込まれた際に、通信処理部４４が人体通信を開始し、その後購入者により第２の押込み量まで商品選択ボタン３１が押込まれた際に、通信処理部４４による人体通信を利用して決済処理部４１が、購入者が携帯する携帯用決済処理装置との間で決済処理を行う。【選択図】        図２
2010152496.tif 000002
【特許請求の範囲】
【請求項１】
自動販売機の決済を人体通信を利用して行う決済システムにおいて、
人体を伝達媒体として通信を行う携帯用決済処理装置と、
前記携帯用決済処理装置と人体を伝達媒体として通信を行い、該通信により前記携帯用決済処理装置との間で決済処理を行う自動販売機と
を具備し、
前記自動販売機は、
人体と接触することで通信を媒介する通信媒介手段を有するとともに、少なくとも、前記人体が前記通信媒介手段に接触している状態で行われる第１の操作と、該状態を継続したまま行われる第２の操作とを受け付ける操作受付手段と、
前記操作受付手段が前記第１の操作を受け付けていることを条件に、前記通信媒介手段を介して前記人体に備えられた携帯用決済処理装置との間で通信を行う通信手段と、
前記操作受付手段が前記第２の操作の受け付けた場合に、前記通信手段が行う通信を利用して前記携帯用決済処理装置との間で決済処理を行う決済処理手段と
を具備することを特徴とする決済システム。
【請求項２】
前記自動販売機は、前記操作受付手段を複数具備するとともに、該操作受付手段のうち前記第１の操作を受け付けた操作受付手段に対応する通信媒介手段と前記通信手段とを接続する切替手段をさらに具備することを特徴とする請求項１記載の決済システム。
【請求項３】
人体を伝達媒体として該人体が携帯する携帯用決済処理装置と通信を行い、該通信により該携帯用決済処理装置との間で決済処理を行う自動販売機において、
人体と接触することで通信を媒介する通信媒介手段を有するとともに、少なくとも、前記人体が前記通信媒介手段に接触している状態で行われる第１の操作と、該状態を継続したまま行われる第２の操作とを受け付ける操作受付手段と、
前記操作受付手段が前記第１の操作を受け付けていることを条件に、前記通信媒介手段を介して前記人体に備えられた携帯用決済処理装置との間で通信を行う通信手段と、
前記操作受付手段が前記第２の操作の受け付けた場合に、前記通信手段が行う通信を利用して前記携帯用決済処理装置との間で決済処理を行う決済処理手段と
を具備することを特徴とする自動販売機。
【請求項４】
前記操作受付手段を複数具備するとともに、該操作受付手段のそれぞれに対応する通信媒介手段と前記通信手段との接続を切り替える切替手段をさらに具備し、
前記切替手段は、前記操作受付手段のうち、前記第１の操作を受け付けた操作受付手段に対応する通信媒介手段と前記通信手段とを接続する
ことを特徴とする請求項３記載の自動販売機。
【請求項５】
前記操作受付手段は、前記人体による押込みを受け付け、
前記第２の操作は、前記第１の操作よりも押込み量が大きい
ことを特徴とする請求項３または４記載の自動販売機。
【請求項６】
人体を伝達媒体として通信を行う際に該人体と接触する通信媒介手段が設けられ、少なくとも、前記人体が前記通信媒介手段に接触している状態で行われる第１の操作と、該状態を継続したまま行われる第２の操作とを受け付ける操作受付手段を有する自動販売機に搭載される決済装置であって、
前記操作受付手段が前記第１の操作を受け付けていることを条件に、前記通信媒介手段を介して前記人体に備えられた携帯用決済処理装置との間で通信を行う通信手段と、
前記操作受付手段が前記第２の操作の受け付けた場合に、前記通信手段が行う通信を利用して前記携帯用決済処理装置との間で決済処理を行う決済処理手段と
を具備することを特徴とする決済装置。
【請求項７】
前記通信媒介手段を複数具備するとともに該複数の通信媒介手段を前記通信手段に選択的に接続する切替手段とを具備した自動販売機に搭載され、
前記操作受付手段が前記第１の操作を受け付けた際に、該第１の操作を受け付けた操作受付手段に対応する通信媒介手段と前記通信手段とを接続するように前記切替手段を制御する切替制御手段をさらに具備する
ことを特徴とする請求項６記載の決済装置。
【請求項８】
前記通信媒介手段を複数具備した自動販売機に搭載され、
前記通信媒介手段を前記通信手段に選択的に接続する切替手段と、
前記操作受付手段が前記第１の操作を受け付けた際に、該第１の操作を受け付けた操作受付手段に対応する通信媒介手段と前記通信手段とを接続するように前記切替手段を制御する切替制御手段をさらに具備する
ことを特徴とする請求項６記載の決済装置。
【発明の詳細な説明】
【技術分野】
【０００１】
本発明は、決済システム、自動販売機、決済装置に関し、特に、人体通信を利用して電子決済を行う決済システム、自動販売機、決済装置に関する。
【背景技術】
【０００２】
近年、ＩＣカード等に記憶された決済情報等を用いて電子決済を行う機会が増加し、自動販売機においても、電子決済が可能となっている（例えば、特許文献１参照）。自動販売機における電子決済は、購入者がＩＣカードを自動販売機に設置されたアンテナ部分にかざすことにより行われるものが多い。
【０００３】
一方、最近では、人体を通信媒体として利用する人体通信を自動販売機の電子決済に利用し、購入者がＩＣカードをかざす行為を省略することも可能な技術が提案されている（例えば、特許文献２、特許文献３参照）。
【特許文献１】特開２００３−８５６２３号公報
【特許文献２】特開２００６−１７３９１３号公報
【特許文献３】特許第３８４７７４１号公報
【発明の開示】
【発明が解決しようとする課題】
【０００４】
自動販売機での電子決済に人体通信を利用する場合、特許文献２に記載されているように、商品選択用のボタンにアンテナ（導電性押下部）を設置し、商品の選択と人体通信による電子決済を一連の処理として行うことが考えられる。
【０００５】
しかしながら、特許文献２に記載されているような構成では、人体通信による電子決済が可能な者が、誤って商品選択ボタンに触れた場合や、商品の購入意思のある購入者が商品の選択時に誤って商品選択ボタンに触れた場合にも決済（商品販売）が行われてしまう可能性がある。
【０００６】
また、特許文献３に記載された構成では、商品選択ボタンの他に購入決定ボタンを設けており、誤販売が行われる可能性は低減するものの、購入者は、商品選択ボタンを押下した後に購入決定ボタンを押下する必要があり、ＩＣカードをアンテナ部分にかざす処理と大差が無くなり、人体通信を利用する効果が十分に得られないものである。
【０００７】
そこで、本発明は、人体通信を利用した電子決済を効率よく行うことが可能となるとともに、誤決済が生じる可能性を低減した決済システム、自動販売機、決済装置を提供することを目的とする。
【課題を解決するための手段】
【０００８】
上述した目的を達成するため、請求項１の発明は、自動販売機の決済を人体通信を利用して行う決済システムにおいて、人体を伝達媒体として通信を行う携帯用決済処理装置と、前記携帯用決済処理装置と人体を伝達媒体として通信を行い、該通信により前記携帯用決済処理装置との間で決済処理を行う自動販売機とを具備し、前記自動販売機は、人体と接触することで通信を媒介する通信媒介手段を有するとともに、少なくとも、前記人体が前記通信媒介手段に接触している状態で行われる第１の操作と、該状態を継続したまま行われる第２の操作とを受け付ける操作受付手段と、前記操作受付手段が前記第１の操作を受け付けていることを条件に、前記通信媒介手段を介して前記人体に備えられた携帯用決済処理装置との間で通信を行う通信手段と、前記操作受付手段が前記第２の操作の受け付けた場合に、前記通信手段が行う通信を利用して前記携帯用決済処理装置との間で決済処理を行う決済処理手段とを具備することを特徴とする。
【０００９】
なお、通信媒介手段は、例えば後述の送受信アンテナ３２に、操作受付手段は、例えば後述の商品選択ボタン３１に、通信手段は、例えば後述の人体通信モジュール４３に、決済処理手段は、例えば後述の決済処理部４１に、それぞれ相当する。
【００１０】
また、請求項２の発明は、請求項１の発明において、前記自動販売機は、前記操作受付手段を複数具備するとともに、該操作受付手段のうち前記第１の操作を受け付けた操作受付手段に対応する通信媒介手段と前記通信手段とを接続する切替手段をさらに具備することを特徴とする。
【００１１】
なお、切替手段は、例えば後述の切替部８、切替部４６”に相当する。
【００１２】
また、請求項３の発明は、人体を伝達媒体として該人体が携帯する携帯用決済処理装置と通信を行い、該通信により該携帯用決済処理装置との間で決済処理を行う自動販売機において、人体と接触することで通信を媒介する通信媒介手段を有するとともに、少なくとも、前記人体が前記通信媒介手段に接触している状態で行われる第１の操作と、該状態を継続したまま行われる第２の操作とを受け付ける操作受付手段と、前記操作受付手段が前記第１の操作を受け付けていることを条件に、前記通信媒介手段を介して前記人体に備えられた携帯用決済処理装置との間で通信を行う通信手段と、前記操作受付手段が前記第２の操作の受け付けた場合に、前記通信手段が行う通信を利用して前記携帯用決済処理装置との間で決済処理を行う決済処理手段とを具備することを特徴とする。
【００１３】
なお、通信媒介手段は、例えば後述の送受信アンテナ３２に、操作受付手段は、例えば後述の商品選択ボタン３１に、通信手段は、例えば後述の人体通信モジュール４３に、決済処理手段は、例えば後述の決済処理部４１に、それぞれ相当する。
【００１４】
また、請求項４の発明は、請求項３の発明において、前記操作受付手段を複数具備するとともに、該操作受付手段のそれぞれに対応する通信媒介手段と前記通信手段との接続を切り替える切替手段をさらに具備し、前記切替手段は、前記操作受付手段のうち、前記第１の操作を受け付けた操作受付手段に対応する通信媒介手段と前記通信手段とを接続することを特徴とする。
【００１５】
なお、切替手段は、例えば後述の切替部８、切替部４６”に相当する。
【００１６】
また、請求項５の発明は、請求項３または４の発明において、前記操作受付手段は、前記人体による押込みを受け付け、前記第２の操作は、前記第１の操作よりも押込み量が大きいことを特徴とする。
【００１７】
また、請求項６の発明は、人体を伝達媒体として通信を行う際に該人体と接触する通信媒介手段が設けられ、少なくとも、前記人体が前記通信媒介手段に接触している状態で行われる第１の操作と、該状態を継続したまま行われる第２の操作とを受け付ける操作受付手段を有する自動販売機に搭載される決済装置であって、前記操作受付手段が前記第１の操作を受け付けていることを条件に、前記通信媒介手段を介して前記人体に備えられた携帯用決済処理装置との間で通信を行う通信手段と、前記操作受付手段が前記第２の操作の受け付けた場合に、前記通信手段が行う通信を利用して前記携帯用決済処理装置との間で決済処理を行う決済処理手段とを具備することを特徴とする。
【００１８】
なお、請求項６の発明である決済装置は、例えば、電子決済装置４、電子決済装置４’、電子決済装置４”に相当し、通信媒介手段は、例えば後述の送受信アンテナ３２に、操作受付手段は、例えば後述の商品選択ボタン３１に、通信手段は、例えば後述の人体通信モジュール４３に、決済処理手段は、例えば後述の決済処理部４１に、それぞれ相当する。
【００１９】
また、請求項７の発明は、請求項６の発明において、前記通信媒介手段を複数具備するとともに該複数の通信媒介手段を前記通信手段に選択的に接続する切替手段とを具備した自動販売機に搭載され、前記操作受付手段が前記第１の操作を受け付けた際に、該第１の操作を受け付けた操作受付手段に対応する通信媒介手段と前記通信手段とを接続するように前記切替手段を制御する切替制御手段をさらに具備することを特徴とする。
【００２０】
なお、請求項７の発明である決済装置は、例えば、電子決済装置４’に相当し、切替手段は、例えば後述の切替部８に相当し、切替制御手段は、例えば後述の制御部４２’に相当する。
【００２１】
また、請求項８の発明は、請求項６の発明において、前記自動販売機は、前記通信媒介手段を複数具備した自動販売機に搭載され、前記通信媒介手段を前記通信手段に選択的に接続する切替手段と、前記操作受付手段が前記第１の操作を受け付けた際に、該第１の操作を受け付けた操作受付手段に対応する通信媒介手段と前記通信手段とを接続するように前記切替手段を制御する切替制御手段をさらに具備することを特徴とする。
【００２２】
なお、請求項８の発明である決済装置は、例えば、電子決済装置４”に相当し、切替手段は、例えば後述の切替部４６”に相当し、切替制御手段は、例えば後述の制御部４２’に相当する。
【発明の効果】
【００２３】
本発明によれば、人体通信を利用した電子決済を効率よく行うことが可能となるとともに、誤決済が生じる可能性が低減する。
【００２４】
また、本発明によれば、人体通信を行うためのポーリング処理を必要とせず、省電力を実現することができる。
【００２５】
さらに、本発明によれば、従来の自動販売機に大幅な変更を加えることなく、人体通信による電子決済が可能な自動販売機を実現することも可能となる。
【発明を実施するための最良の形態】
【００２６】
以下、本発明に係る決済システム、自動販売機、決済装置の一実施の形態について、添付図面を参照して詳細に説明する。
【実施例１】
【００２７】
図１は、本発明を適用した自動販売機の構成例を示した図である。同図に示すように、自動販売機１は、主制御装置２、商品選択装置３、電子決済装置４、現金決済装置５、表示装置６、商品提供装置７を有している。
【００２８】
主制御装置２は、自動販売機１の制御部として動作し、商品選択装置３、電子決済装置４、現金決済装置５、表示装置６、商品提供装置７の各部が連携して動作を行うように、各部を制御する。また、主制御装置２は、プロセッサやメモリ等で構成されるコンピュータをプログラムにしたがって動作させることで実現される。
【００２９】
商品選択装置３は、自動販売機１が販売する商品を購入者に選択させるもので、商品選択ボタン等を有する。また、商品選択装置３は、購入者との間で人体通信を行う際の送受信アンテナも有している。
【００３０】
電子決済装置４は、購入者との間で人体通信を行い、この人体通信を利用して購入者が携帯する携帯用決済処理装置との間で決済処理を行う。購入者が携帯する携帯用決済処理装置は、人体通信を利用して決済を行うもので、例えば、人体通信モジュールとアンテナ、電子マネー等の決済情報を記憶したメモリを有する通信装置である。決済情報を記憶したメモリは、通信装置に対して着脱可能であったり、メモリに加えて決済処理そのものを行うプロセッサを有するものであってもよい。この電子決済装置４は、商品選択装置３と人体通信の際の通信経路となる信号線等で接続されている。
【００３１】
現金決済装置５は、紙幣や硬貨による決済を行うもので、購入者が投入した紙幣や硬貨を受け入れるとともに、必要に応じて釣銭等の返却を行う。なお、自動販売機１を現金決済に対応させない場合には、現金決済装置５は不要である。
【００３２】
表示装置６は、購入者に対して投入金額や商品情報等を提示するものである。なお、表示装置６は、必ずしも必要なものではない。
【００３３】
商品提供装置７は、電子決済装置４または現金決済装置５による決済が成立した場合に、商品選択装置３が受け付けた商品、つまり、購入者が選択した商品を提供する。
【００３４】
次に、商品選択装置３と電子決済装置４の構成について説明する。図２は、商品選択装置と電子決済装置の構成例を示した図である。
【００３５】
同図に示すように、商品選択装置３は、購入者が商品を選択するための複数の商品選択ボタン３１（３１−１〜３１−ｎ）を有している。また、各商品選択ボタン３１は、それぞれ、送受信アンテナ３２（３２−１〜３２−ｎ）、押込み量検知部３３（３３−１〜３３−ｎ）を有している。なお、自動販売機１が販売する商品が１種類である場合は、商品選択ボタン３１は、複数である必要はない。
【００３６】
送受信アンテナ３２は、購入者との間で人体通信を行う際に、購入者が接触する部分で導電性を有する材料等で構成される。
【００３７】
押込み量検知部３３は、購入者により商品選択ボタン３１が押下された際に、その押込み量を検知する。押込み量検知部３３が検知する押込み量は、２段階であるものとする。なお、押込み量検知部３３の詳細については後述する。
【００３８】
電子決済装置４は、決済処理部４１と、制御部４２、人体通信モジュール４３を有しており、人体通信モジュール４３は、通信処理部４４と入出力部４５を有している。
【００３９】
決済処理部４１は、人体通信を利用して購入者が携帯する携帯用決済処理装置との間で決済処理を行うもので、通常、電子マネー等の運営を行う事業者が提供する決済モジュール等に相当する。このため、複数の事業者による電子決済に対応する場合には、決済処理部４１を複数有する場合もある。
【００４０】
制御部４２は、主制御部２からの通知（信号）を受けて、人体通信モジュール４３による人体通信の開始と終了、決済処理部４１による決済処理の実行等を制御する。制御部４２は、プロセッサやメモリ等で構成されるコンピュータをプログラムにしたがって動作させることで実現される。
【００４１】
人体通信モジュール４３は、人体通信を行うもので、購入者が携帯する携帯用決済処理装置の人体通信モジュールと通信を行う通信処理部４４と、通信処理部４４と制御部４２のインタフェイスとなる入出力部４５により構成される。また、通信処理部４４は、切替部８（８−１〜８−ｎ）を介して送受信アンテナ３２と接続される。人体通信モジュール４３が行う人体通信は、電界方式、電流方式等の方式は問わず、いずれであってもよい。
【００４２】
なお、切替部８は、送受信アンテナ３２のいずれかと通信処理部４４とを電気的に接続した状態と、送受信アンテナ３２の全てと通信処理部４４との電気的接続を切断した状態とを切り替えるもので、例えば、マルチプレクサにより構成される。もちろん、各切替部を、それぞれ、スイッチとして構成してこれを切り替えるようにする等、他の構成で切替部８を構成してもよい。
【００４３】
また、主制御装置２は、押し込み量検知部３３が検知した商品選択ボタン３１の押込み量に応じて、電子決済装置４２に通知を行うとともに、切替部８を切替制御する他、従来の自動販売機が有する主制御装置と同様に、商品販売に関する処理も行う。
【００４４】
次に、商品選択ボタン３１の構成と、その押込み量について説明する。図３は、商品選択ボタンの構成例を示した断面図である。
【００４５】
同図（ａ）は、商品選択ボタン３１が押下されていない状態を示したもので、同図（ｂ）は、商品選択ボタン３１が図中の矢印Ａの方向に途中（以下、第１押下量とする）まで押下された状態を示したもので、同図（ｃ）は、商品選択ボタン３１が図中の矢印Ａの方向に最後（以下、第２押下量とする）まで押下された状態を示したものである。
【００４６】
同図に示すように、商品選択ボタン３１は、固定部３１Ａと可動部３１Ｂとで構成され、固定部３１Ａには、第１検知部３３Ａと第２検知部３３Ｂが設けられており、可動部３１Ｂには送受信アンテナ３２が設けられている。第１検知部３３Ａと第２検知部３３Ｂは、押込み量検知部３３に相当するものである。
【００４７】
商品選択ボタン３１は、押下されていない状態では、同図（ａ）に示すように、第１検知部３３Ａが固定部３１Ａと可動部３１Ｂにより圧迫されオン状態を示し、第２検知部３３Ｂが固定部３１Ａと可動部３１Ｂにより圧迫されることなくオフ状態を示している。
【００４８】
また、商品選択ボタン３１は、押下され、第１押込み量まで押込まれている状態では、同図（ｂ）に示すように、第１検知部３３Ａが固定部３１Ａと可動部３１Ｂにより圧迫されることなくオフ状態を示し、第２検知部３３Ｂが固定部３１Ａと可動部３１Ｂにより圧迫されることなくオフ状態を示している。
【００４９】
さらに、商品選択ボタン３１は、押下され、第１押込み量まで押込まれている状態では、同図（ｃ）に示すように、第１検知部３３Ａが固定部３１Ａと可動部３１Ｂにより圧迫されることなくオフ状態を示し、第２検知部３３Ｂが固定部３１Ａと可動部３１Ｂにより圧迫されることによりオン状態を示している。
【００５０】
第１検知部３３Ａと第２検知部３３Ｂの状態は、信号として主制御装置２へ入力されるが、これにより、主制御装置２は、商品選択ボタン３１の状態を判断することができる。つまり、主制御装置２は、第１検知部３３Ａがオンで第２検知部３３Ｂがオフの場合には、商品選択ボタン３１が押下されていない状態、第１検知部３３Ａがと第２検知部３３Ｂがともにオフの場合には、商品選択ボタン３１が第１押込み量まで押込まれている状態、第１検知部３３Ａがオフで第２検知部３３Ｂがオンの場合には、商品選択ボタン３１が第２押込み量まで押込まれている状態と判断することができる。
【００５１】
なお、商品選択ボタン３１は、図３に示した構成以外、例えば、押込み量を数値（例えば、押下されていない状態で「０」、最後まで押込まれている状態で「２５６」）で出力する押込み量検知部を設け、主制御装置２が、その数値を閾値と比較して、第１押込み量まで押込まれた状態や第２押込み量まで押込まれた状態を判断する構成や、第１検知部３３Ａをタッチセンサとして構成し、購入者が商品選択ボタン３１に触れた状態を第１の押込み量として判断する構成等にすることも可能である。
【００５２】
次に、自動販売機１の動作の流れについて説明する。図４及び図５は、自動販売機１の動作の流れを示すフローチャートである。
【００５３】
まず、自動販売機１は、購入者による現金の投入や、購入者が商品選択ボタン３１を第１押込み量まで押込む操作をしない間（ステップ１０１でＮＯ、ステップ１０２でＮＯ）、待機状態となっている。
【００５４】
そして、購入者により現金が投入された場合には（ステップ１０１でＹＥＳ）、自動販売機１は、現金決済処理を行う（ステップ１０３）。なお、現金決済処理は、従来の自動販売機での処理と同様であるため、ここでの説明は省略する。
【００５５】
また、購入者が現金を投入することなく、商品選択ボタン３１を押下して第１押込み量まで押込むと（ステップ１０１でＮＯ、ステップ１０２でＹＥＳ）、自動販売機１は、電子決済処理を行う（ステップ１０４）。
【００５６】
電子決済処理では、まず、商品選択ボタン３１が第１押込み量まで押込まれたことを受けて、主制御装置２が切替部８を切替制御することで該当する商品選択ボタン３１の送受信アンテナ３２と通信処理部４４を電気的に接続し、通信処理部４４が人体通信を開始する（ステップ１１１）。その結果、人体通信が不可能であった場合には（ステップ１１２でＮＯ）、自動販売機１は、主制御装置２が切替部８を切替制御することで該当する商品選択ボタン３１の送受信アンテナ３２と通信処理部４４の電気的な接続を切断し、通信処理部４４が人体通信を終了し（ステップ１１３）、自動販売機１は、待機状態に戻る。人体通信が不可能となるのは、購入者が人体通信に対応する通信装置等を携帯していないか、何らかの事情で通信が不可能となっている場合が考えられるが、いずれの理由であっても、人体通信が不可能であれば、電子決済を行うことはできないためである。
【００５７】
一方、人体通信が可能であった場合には（ステップ１１２でＹＥＳ）、決済処理部４１が人体通信を利用して購入者が携帯する携帯用決済処理装置と通信を行って残高確認を行う（ステップ１１４）。その結果、商品選択ボタン３１の押下により選択された商品の販売価格に対して残高が不足する場合や、購入者が携帯する携帯用決済処理装置が対応外のものである等の理由で残高確認ができない場合、つまり、その後の決済が不可能である場合には（ステップ１１５でＮＯ）、主制御装置２が切替部８を切替制御することで該当する商品選択ボタン３１の送受信アンテナ３２と通信処理部４４の電気的な接続を切断し、通信処理部４４が人体通信を終了し（ステップ１１３）、自動販売機１は、待機状態に戻る。
【００５８】
残高確認の結果、商品選択ボタン３１の押下により選択された商品の販売価格に対して残高が充足しており、決済が可能な場合には（ステップ１１５でＹＥＳ）、自動販売機１は、押込まれた商品販売ボタン１１６を緑色に発光させるとともに（ステップ１１６）、モニタタイマを起動させる（ステップ１１７）。モニタタイマは、一定の時間を計時するもので、電子決済装置４の制御部４２、または、主制御装置２でプログラムにより実現されるソフトウェアのタイマである。
【００５９】
その後、自動販売機１は、該当する商品選択ボタン３１が第２押込み量まで押込まれるのを待ち（ステップ１１８でＮＯ、ステップ１１９でＮＯ）、商品選択ボタン３１が第２押込み量まで押込まれると（ステップ１１８でＹＥＳ）、自動販売機１は、押込まれた商品販売ボタン１１６を赤色に発光させるとともに（ステップ１２０）、人体通信を利用して決済処理部４１による決済処理を行って商品を提供する（ステップ１２１）。続いて、商品選択ボタン３１を消灯し（ステップ１２２）、主制御装置２が切替部８を切替制御することで該当する商品選択ボタン３１の送受信アンテナ３２と通信処理部４４の電気的な接続を切断し、通信処理部４４が人体通信を終了し（ステップ１１３）、自動販売機１は、待機状態に戻る。
【００６０】
一方、自動販売機１は、該当する商品選択ボタン３１が第２押込み量まで押込まれるのを待っている間に（ステップ１１８でＮＯ、ステップ１１９でＮＯ）、該当する商品選択ボタン３１の押込みが解除されるか、モニタタイマが一定の時間を計時してタイムアウトになると（ステップ１１９でＹＥＳ）、商品選択ボタン３１を消灯し（ステップ１２２）、主制御装置２が切替部８を切替制御することで該当する商品選択ボタン３１の送受信アンテナ３２と通信処理部４４の電気的な接続を切断し、通信処理部４４が人体通信を終了し（ステップ１１３）、自動販売機１は、待機状態に戻る。
【００６１】
なお、ステップ１１４で残高確認を行っているが、残高が不足している場合等には、いずれにしても決済を行うことができないので、ステップ１１４及びステップ１１５の処理を省略し、商品選択ボタン３１が第２押込み量まで押込まれた後に、購入者が携帯する携帯用決済処理装置と通信を行うようにしてもよい。
【００６２】
また、ここでは、商品選択ボタン３１を緑色や赤色に発光させるとの説明を行ったが、これは購入者に対する操作ガイド的な役割を果たすもので、商品選択ボタン３１の発光に代えて、表示装置６にメッセージを表示したり、別途、購入者に操作方法を周知するようにし、商品選択ボタン３１を発光させないようにしてもよい。
【００６３】
次に、自動販売機１が電子決済を行う際の主制御装置２、商品選択装置３、電子決済装置４の動作の流れについて説明する。図６乃至８は、主制御装置、商品選択装置、電子決済装置間の電子決済時の信号の流れを示した図である。
【００６４】
電子決済時には、商品選択装置３の商品選択ボタン３１のいずれかが押下され、第１押込み量まで押込まれると（ステップ２０１）、押込み量検知部３２から主制御装置２に検知信号が送出される（ステップ２０２）。この検知信号を受けた主制御装置２は、第１押込み量まで押込まれた商品選択ボタン３１に対応する切替部８を切替制御して（ステップ２０３）、該当する商品選択ボタン３１の送受信アンテナ３２と通信処理部４４を電気的に接続し、電子決済装置４に、押込まれた商品選択ボタン３１に対応する商品の価格を決済額情報として通知する（ステップ２０４）。
【００６５】
決済額情報が通知された電子決済装置４は、通信処理部４４が商品選択ボタン３１の送受信アンテナ３２を介して人体通信を開始し、この人体通信を利用して決済処理部４１が残高確認処理を行う（ステップ２０５）。なお、前述の図５を参照した説明では、残高確認処理前に通信の可否を確認しているが、ここでは、残高確認処理が通信可否の確認を兼ねているものとする。もちろん、通信の可否を確認した後に残高確認処理を行ってもよい。
【００６６】
残高確認処理の結果、決済が可能であった場合には、電子決済装置４は、その旨を主制御装置２に通知し（ステップ２０６）、これを受けた主制御装置２は、商品選択ボタン３１を緑色発光させるための発光制御信号を商品選択ボタン３１に通知する（ステップ２０７）。
【００６７】
なお、前述のように、残高確認を省略する場合には、ステップ２０５及びステップ２０６の処理が省略される。
【００６８】
その後、商品選択ボタン３１が第２押込み量まで押下されると（ステップ２０８）、押込み量検知部３２から主制御装置２に検知信号が送出される（ステップ２０９）。この検知信号を受けた主制御装置２は、電子決済装置４に決済要求を通知し（ステップ２１０）、商品選択ボタン３１を赤色発光させるための発光制御信号を商品選択ボタン３１に通知する（ステップ２１１）。
【００６９】
決済要求を受けた電子決済装置４は、決済処理部４１が決済処理を行い（ステップ２１２）、決済処理に成功すると、決済の完了を主制御装置２に通知する（ステップ２１３）。この通知を受けた主制御装置２は、商品提供装置７を動作させて商品の提供を行うとともに、商品選択ボタン３１を消灯させるための発光制御信号を商品選択ボタン３１に通知する（ステップ２１４）。
【００７０】
そして、主制御装置２は、切替部８を切替制御して（ステップ２１５）、該当する商品選択ボタン３１の送受信アンテナ３２と通信処理部４４の電気的接続を切断する。
【００７１】
一方、残高確認処理の結果、決済が不可能であった場合には、電子決済装置４は、その旨を主制御装置２に通知し（図７のステップ２１６）、これを受けた主制御装置２は、商品選択ボタン３１を消灯させるための発光制御信号を商品選択ボタン３１に通知し（ステップ２１７）、切替部８を切替制御して（ステップ２１８）、該当する商品選択ボタン３１の送受信アンテナ３２と通信処理部４４の電気的接続を切断する。
【００７２】
その後は、商品選択ボタン３１が第２押込み量まで押下され（ステップ２１９）、押込み量検知部３２から主制御装置２に検知信号が送出されたとしても（ステップ２２０）、何ら処理は行われない。ただし、別途、残高不足の通知を行う処理等を行うようにしてもよい。
【００７３】
なお、残高確認を省略した場合には、決済が不可能であった場合に、ステップ２１６以降と同様の処理が行われる。
【００７４】
また、決済処理が行われる前、例えば、残高確認処理後に、商品選択ボタン３１の押込みが解除された場合には（図８のステップ２２１）、押込み量検知部３２から主制御装置２に検知信号が送出され（ステップ２２２）、これを受けた主制御装置２は、商品選択ボタン３１を消灯させるための発光制御信号を商品選択ボタン３１に通知し（ステップ２２３）、切替部８を切替制御して（ステップ２２４）、該当する商品選択ボタン３１の送受信アンテナ３２と通信処理部４４の電気的接続を切断する。
【００７５】
なお、実施例１の構成においては、切替部８を商品選択装置３の一部に含めるように変更することも可能である。
【００７６】
この実施例１の構成では、主制御装置２は、従来の自動販売機の主制御装置の機能に、商品選択ボタン３１の押込み量に応じた信号の送出を含む電子決済装置４の制御と、切替部８の制御を追加するだけでよく、自動販売機１が販売する商品が１種類であり、商品選択ボタン３１が１つのみである場合には、切替部８の制御を追加する必要もない。
【実施例２】
【００７７】
図９は、実施例２における商品選択装置と電子決済装置の構成例を示した図である。同図に示した構成は、主制御装置２’が切替部８の切替制御を行わずに、電子決済装置４’の制御部４２’が切替部８の切替制御を行うようにしたことが実施例１で説明した構成と異なっており、他は、実施例１の場合と同様である。
【００７８】
また、実施例２においても自動販売機自体の動作は、実施例１の場合と同様であるため、説明は省略し、主制御装置２’、商品選択装置３、電子決済装置４’の動作の流れについて説明する。図１０は、主制御装置、商品選択装置、電子決済装置間の電子決済時の信号の流れを示した図である。
【００７９】
電子決済時には、商品選択装置３の商品選択ボタン３１のいずれかが押下され、第１押込み量まで押込まれると（ステップ３０１）、押込み量検知部３２から主制御装置２に検知信号が送出される（ステップ３０２）。この検知信号を受けた主制御装置２は、電子決済装置４’に、押込まれた商品選択ボタン３１に対応する商品の価格と、第１押込み量まで押込まれた商品選択ボタン３１を識別する情報を決済額情報として通知する（ステップ３０３）。
【００８０】
決済額情報が通知された電子決済装置４’は、制御部４２’が第１押込み量まで押込まれた商品選択ボタン３１に対応する切替部８を切替制御して（ステップ３０４）、該当する商品選択ボタン３１の送受信アンテナ３２と通信処理部４４を電気的に接続し、通信処理部４４が商品選択ボタン３１の送受信アンテナ３２を介して人体通信を開始し、この人体通信を利用して決済処理部４１が残高確認処理を行う（ステップ３０５）。
【００８１】
残高確認処理の結果、決済が可能であった場合には、電子決済装置４’は、その旨を主制御装置２に通知し（ステップ３０６）、これを受けた主制御装置２は、商品選択ボタン３１を緑色発光させるための発光制御信号を商品選択ボタン３１に通知する（ステップ３０７）。
【００８２】
その後、商品選択ボタン３１が第２押込み量まで押下されると（ステップ３０８）、押込み量検知部３２から主制御装置２に検知信号が送出される（ステップ３０９）。この検知信号を受けた主制御装置２は、電子決済装置４’に決済要求を通知し（ステップ３１０）、商品選択ボタン３１を赤色発光させるための発光制御信号を商品選択ボタン３１に通知する（ステップ３１１）。
【００８３】
決済要求を受けた電子決済装置４’は、決済処理部４１が決済処理を行い（ステップ３１２）、決済処理に成功すると、決済の完了を主制御装置２に通知し（ステップ３１３）、制御部４２’が切替部８を切替制御して（ステップ３１４）、該当する商品選択ボタン３１の送受信アンテナ３２と通信処理部４４の電気的接続を切断する。
【００８４】
一方、決済完了の通知を受けた主制御装置２は、商品提供装置７を動作させて商品の提供を行うとともに、商品選択ボタン３１を消灯させるための発光制御信号を商品選択ボタン３１に通知する（ステップ３１５）。
【００８５】
なお、残高不足の場合や商品選択ボタン３１の押込みが解除された場合の処理についても、切替部８の切替制御を制御部４２’が行う点が実施例１の場合と異なるのみであるため、ここでの説明は省略する。
【００８６】
なお、実施例２の構成においては、切替部８を商品選択装置３の一部に含めるように変更することも可能である。
【００８７】
この実施例２の構成では、主制御装置２’は、従来の自動販売機の主制御装置の機能に、商品選択ボタン３１の押込み量に応じた信号の送出を含む電子決済装置４’の制御を追加するだけでよい。
【実施例３】
【００８８】
図１１は、実施例３における商品選択装置と電子決済装置の構成例を示した図である。同図に示した構成は、電子決済装置４”が実施例２の切替部８に相当する切替部４６”を有するようにしたことが実施例２で説明した構成と異なっており、他は、実施例２の場合と同様である。
【００８９】
また、動作については、電子決済装置４”が外部に切替制御信号を送出せずに、装置内部で切替部４６”を制御する点のみが実施例２と異なるものであるため、その説明は省略する。
【００９０】
この実施例３の構成では、主制御装置２’は、従来の自動販売機の主制御装置の機能に、商品選択ボタン３１の押込み量に応じた信号の送出を含む電子決済装置４”の制御を追加するだけでよい。
【図面の簡単な説明】
【００９１】
【図１】本発明を適用した自動販売機の構成例を示した図である。
【図２】商品選択装置と電子決済装置の構成例を示した図である。
【図３】商品選択ボタンの構成例を示した断面図である。
【図４】自動販売機１の動作の流れを示すフローチャートである。
【図５】自動販売機１の動作の流れを示すフローチャートである。
【図６】主制御装置、商品選択装置、電子決済装置間の電子決済時の信号の流れを示した図である。
【図７】主制御装置、商品選択装置、電子決済装置間の電子決済時の信号の流れを示した図である。
【図８】主制御装置、商品選択装置、電子決済装置間の電子決済時の信号の流れを示した図である。
【図９】商品選択装置と電子決済装置の構成例を示した図である。
【図１０】主制御装置、商品選択装置、電子決済装置間の電子決済時の信号の流れを示した図である。
【図１１】商品選択装置と電子決済装置の構成例を示した図である。
【符号の説明】
【００９２】
１    自動販売機
２    主制御装置
２’    主制御装置
３    商品選択装置
４    電子決済装置
４’    電子決済装置
４”    電子決済装置
５    現金決済装置
６    表示装置
７    商品提供装置
８、８−１〜８−ｎ    切替部
３１、３１−１〜３１−ｎ    商品選択ボタン
３１Ａ    固定部
３１Ｂ    可動部
３２、３２−１〜３２−ｎ    送受信アンテナ
３３、３３−１〜３３−ｎ    押込み量検知部
３３Ａ    第１検知部
３３Ｂ    第２検知部
４１    決済処理部
４２    制御部
４２’    制御部
４３    人体通信モジュール
４４    通信処理部
４５    入出力部
４６”    切替部
【図１】
2010152496.tif 000003
【図２】
2010152496.tif 000004
【図３】
2010152496.tif 000005
【図４】
2010152496.tif 000006
【図５】
2010152496.tif 000007
【図６】
2010152496.tif 000008
【図７】
2010152496.tif 000009
【図８】
2010152496.tif 000010
【図９】
2010152496.tif 000011
【図１０】
2010152496.tif 000012
【図１１】
2010152496.tif 000013